【手続補正書】
【提出日】平成25年5月20日(2013.5.20)
【手続補正１】
【補正対象書類名】明細書
【補正対象項目名】００２０
【補正方法】変更
【補正の内容】
【００２０】
つぎに、再生装置１の内部構成を説明する。図１に示すように、再生装置１は、接続ジャック１Ａ、ストレージ部５、デコーダ３、パワーアンプ部２、電源電圧切換部２Ａ、プラグ接続検出部７、制御部６および接続切換部８を備える。
接続ジャック１Ａにはヘッドホン装置２０の接続プラグ２０Ａが接続され、ヘッドホン装置２０のスピーカ２４に対して音声信号を供給するＬ／Ｒチャンネル伝送路が形成される。
【手続補正２】
【補正対象書類名】明細書
【補正対象項目名】００２３
【補正方法】変更
【補正の内容】
【００２３】
パワーアンプ部２は、デコーダ３から出力された音声信号を所定の電力に増幅するものである。
なお、パワーアンプ部２の増幅段はデジタルアンプ構成でもアナログアンプ構成でも良い。アナログアンプ構成の場合、デコーダ３の出力をＤ／Ａ変換してからアナログ音声信号の増幅処理を行うこととなる。
【手続補正３】
【補正対象書類名】明細書
【補正対象項目名】００２７
【補正方法】変更
【補正の内容】
【００２７】
再生装置１とヘッドホン装置２０の双方には接続切換部８が設けられている。
接続切換部８は，Ｌ／Ｒチャンネルを音声信号が流れる経路と、制御部６と不揮発性メモリ２１との通信がなされる経路とを切換えるものである。
図２は、その詳細を示したものである。
図示のように、各接続切換部８は、Ｌ／Ｒチャンネル伝送路に挿入された切換スイッチとされる。
また接続プラグ２０Ａ、接続ジャック１Ａには、それぞれＬチャンネル端子ＬＰ、ＬＪ、Ｒチャンネル端子ＲＰ、ＲＪ、グランド端子ＧＰ、ＧＪが設けられる。これらは通常のステレオ方式のプラグ／ジャックの構成端子と同一である。これに加えて電源／コントロール端子ＥＰ，ＥＪが設けられる。
【手続補正４】
【補正対象書類名】明細書
【補正対象項目名】００２８
【補正方法】変更
【補正の内容】
【００２８】
各接続切換部８は、通常は、パワーアンプ部２からスピーカ２４までの音声信号の伝送路を形成するように図示の状態に接続端子が選択されている。
接続切換部８は、再生装置１にヘッドホン装置２０が接続されると、制御部６の制御により接続端子が切り換えられる。
即ち制御部６は、図１に示したプラグ接続検出部７からの信号により接続プラグ１Ａの接続を検出すると、電源／コントロール信号として所定電圧レベル（Ｈレベル）の出力を行う。
各接続切換部８は、この電源／コントロール信号がＨレベルとなると、接続端子をメモリ通信用の接続状態に切り換える構成とされている。
【手続補正５】
【補正対象書類名】明細書
【補正対象項目名】００３１
【補正方法】変更
【補正の内容】
【００３１】
図４は、ヘッドホン装置２０と再生装置１を接続する、接続プラグ２０Ａと接続ジャック１Ａの端子構造の具体例を示したものである。接続プラグ２０Ａと接続ジャック１Ａは嵌合され、各端子が接続される。
図４において、先ずヘッドホン装置２０側の接続プラグ２０Ａには、先に説明した再生装置１から供給される音声信号の入力端子として、Ｌチャンネル用の端子ＬＰとＲチャンネル用の端子ＲＰが形成されている。また接続切換部８を切り換える信号である電源／コントロール信号用の端子ＥＰが形成されている。さらに、上記Ｌチャンネル、Ｒチャンネルおよび電源／コントロール信号に共通となるグランド端子ＧＰが形成されている。また、接続プラグ２０Ａには位置決めのために突起部が形成されている。
このとき、上記端子ＬＰ、端子ＲＰ、端子ＧＰは、図のようにそれぞれが同軸上に独立したリング状の形状で配置されるように形成されている。これに対し、上記電源／コントロール信号用の端子ＥＰは、同軸上には配置せずに、これら同軸上の各端子ＬＰ、ＲＰ及びＧＰが配置される部分から突出するようにして設けられている。
【手続補正６】
【補正対象書類名】明細書
【補正対象項目名】００３２
【補正方法】変更
【補正の内容】
【００３２】
一方、オーディオプレイヤ１側の接続ジャック１Ａには、上記突起部を嵌合して位置決めするための突起受け部が形成されている。つまり、この位置決め部が形成されていることで、接続ジャック１Ａと接続プラグ２０Ａは所定の位置関係で接続されるようになっている。
なお、ここでは図示の都合上、接続ジャック１Ａ側におけるＬチャンネル用、Ｒチャンネル用、及び上記グランド端子ＧＰに接するグランド端子の図示は省略しているが、これらの端子は、接続プラグ２０Ａが接続された際、図２に示したように接続プラグ２０Ａ側に設けられた対応する端子と１対１で接するように接続ジャック１Ａ内に形成されている。
【手続補正７】
【補正対象書類名】明細書
【補正対象項目名】００３３
【補正方法】変更
【補正の内容】
【００３３】
その上で、ヘッドホン装置２０側の接続プラグ２０Ａには、先に説明した電源／コントロール信号用の端子ＥＪが形成されている。
この端子は、上記位置決め部により位置決めされるようにして接続ジャック１Ａに接続プラグ２０Ａが接続されたときに、[ＥＪ・ＥＰ]の対応関係で各端子が一対一で接するようにして設けられている。
【手続補正８】
【補正対象書類名】明細書
【補正対象項目名】００３４
【補正方法】変更
【補正の内容】
【００３４】
この図４にて説明したような接続プラグ２０Ａと接続ジャック１Ａの構造により、再生装置１に対しヘッドホン装置２０が接続されたときに、上記不揮発性メモリ２１に対する電力供給が行われ、且つ上記不揮発性メモリ２１に記憶される情報の制御部６による読み出しが可能な状態となるようにされている。
また、再生装置１からヘッドホン装置２０へのオーディオ信号の供給が可能となるようにされている。
【手続補正９】
【補正対象書類名】明細書
【補正対象項目名】００３５
【補正方法】変更
【補正の内容】
【００３５】
図５は、パワーアンプ２の電源電圧切換部２Ａの詳細を示したものである。パワーアンプ２としてアナログアンプの場合とデジタルアンプの場合を示している。
図５（ａ）は、アナログアンプの場合である。図５（ａ）において、アナログ音声信号がアナログアンプに供給され所定の音声信号に増幅され出力される。上記アナログ音声信号は、デコーダ３から出力された信号が図示していないＤ／Ａ変換器により変換された信号である。
ここで、パワーアンプ２自体を働かせるために電圧を供給することが必要となる。このとき、例えば、５Ｖの正弦波を出力させるためには最低でも１４Ｖ（５×√２×２）の電圧を供給することが必要となる。したがって、図５（ａ）の場合には、−７Ｖ〜７Ｖが供給されることが必要である。
【手続補正１０】
【補正対象書類名】明細書
【補正対象項目名】００３９
【補正方法】変更
【補正の内容】
【００３９】
図５（ｃ）は、デジタルアンプの場合である。図５（ｃ）において、デコーダ３から出力されたデジタル音声がデジタルアンプに供給され所定の音声信号に増幅され出力される。パワーアンプ２から出力された信号はデジタル信号なので、その信号は図示していないＤ／Ａ変換器により変換されアナログ信号としてヘッドホン装置２０に供給される。
供給電圧の切り換えは、アナログアンプの場合と同様の方法で行われる。図５（ｄ）は、供給電圧を切り換える前とその供給電圧を１／２にした場合のデジタルアンプの出力波形を示している。
【手続補正１１】
【補正対象書類名】明細書
【補正対象項目名】００５３
【補正方法】変更
【補正の内容】
【００５３】
図６により、第４の実施の形態としての設定（変更）動作を実現するために実行されるべき処理動作を説明する。
ステップＳ１０１、ステップ１０２、ステップＳ２０１までの処理は第１の実施の形態の場合と同じである。
ステップＳ１０２の判別処理で、感度情報に対応できる場合、その感度情報に基づいて制御部６はステップＳ１０３の処理に進み、イコライザ部９ｃの調整を行う。選択される周波数特性は、感度情報に応じてヘッドホン装置２０に供給する音声信号のレベルが許容される最大出力レベル内となるようにする特性である。
その後、制御部６は再生処理を行う。これにより、本来の音質を維持しながら、音圧規制をすることができる。
【手続補正１２】
【補正対象書類名】明細書
【補正対象項目名】００５９
【補正方法】変更
【補正の内容】
【００５９】
＜第６の実施の形態＞
続いて、第６の実施の形態について説明する。
上記により説明した第１の実施の形態では、ヘッドホン装置２０の不揮発性メモリ２１に格納されている、固有の感度情報の再生装置１による読み取りは、接続プラグ２０Ａと接続ジャック１Ａの接続により、嵌合した各端子を介して行われるものとしたが、他の方式も考えられる。
第６の実施の形態では、無線通信により制御部６が感度情報を読み取る例を挙げる。
【手続補正１３】
【補正対象書類名】明細書
【補正対象項目名】００６１
【補正方法】変更
【補正の内容】
【００６１】
図１４は、第６の実施の形態の再生装置１に形成される接続ジャック１Ａと、ヘッドホン装置２０側に形成される接続プラグ２０Ａの構造例を示している。
図示するように、この場合のヘッドホン装置における接続プラグ２０Ａの内部には、無線タグ２２が設けられる。
また、再生装置１における接続ジャック１Ａには、無線タグ２２に記憶される情報を無線通信（非接触）により読み取るためのタグリーダ１０が設けられる。
【手続補正１４】
【補正対象書類名】明細書
【補正対象項目名】００６２
【補正方法】変更
【補正の内容】
【００６２】
この場合、無線タグ２２はいわゆるパッシブタイプのものが用いられ、タグリーダ１０による電波照射によって電力供給が行われることで、内部のメモリ素子の記憶データを電波により送出する。タグリーダ１０は電波照射に応じて上記無線タグ２２から送出されるデータを読み取る。
【手続補正１５】
【補正対象書類名】明細書
【補正対象項目名】００６４
【補正方法】変更
【補正の内容】
【００６４】
また、この場合は、ヘッドホン装置２０側に記憶される情報の読み取りにあたってデータ通信ライン、及び電源供給のためのラインは不要となるため、先の第１の実施の形態の場合に設けられていた接続ジャック１Ａ側および及び接続プラグ２０Ａ側の電源／コントロール端子は省略することができる。
第６の実施の形態としての図６に示される設定（変更）動作を実現するために実行されるべき処理動作は、第１から第５の実施の形態と同様である。
【手続補正１６】
【補正対象書類名】図面
【補正対象項目名】図２
【補正方法】変更
【補正の内容】
【図２】
2012004734.tif 000001